(57)【要約】【課題】貸与用の蓄電池パックを適切に管理することができる貸与システム等を提供する。【解決手段】貸与システムは、借用者の識別情報である第１識別情報が記憶された記憶装置から第１識別情報を取得する取得部１２１と、貸与用の蓄電池パックである第１蓄電池パックに設けられた記憶部から第１蓄電池パックの識別情報である第２識別情報を取得する取得部１５１と、借用者に第１蓄電池パックが貸与されるとき、取得部１２１で取得された第１識別情報と取得部１５１で取得された第２識別情報とを対応付ける制御部１６１と、第１識別情報と第２識別情報とが対応付けられて記憶される記憶部１７１とを備え、取得部１５１は、さらに、借用者から第１蓄電池パックが返却されるとき、第１蓄電池パックの状態を示す情報を取得し、制御部１６１は、第１蓄電池パックの状態を示す情報を、第１識別情報と関連付ける。【選択図】図１
2020074247.tif 000002
【特許請求の範囲】
【請求項１】
蓄電池パックの貸与システムであって、
借用者の識別情報である第１識別情報が記憶された記憶装置から前記第１識別情報を取得する第１取得部と、
貸与用の蓄電池パックである第１蓄電池パックに設けられた記憶部から前記第１蓄電池パックの識別情報である第２識別情報を取得する第２取得部と、
前記借用者に前記第１蓄電池パックが貸与されるとき、前記第１取得部で取得された前記第１識別情報と前記第２取得部で取得された前記第２識別情報とを対応付ける制御部と、
前記第１識別情報と前記第２識別情報とが対応付けられて記憶される記憶部とを備え、
前記第２取得部は、さらに、前記借用者から前記第１蓄電池パックが返却されるとき、前記第１蓄電池パックの状態を示す情報を取得し、
前記制御部は、前記第１蓄電池パックの状態を示す情報を、前記第１識別情報と関連付ける、
貸与システム。
【請求項２】
前記第１蓄電池パックの状態を示す情報は、前記第１蓄電池パックの劣化度である、
請求項１に記載の貸与システム。
【請求項３】
前記貸与システムが備える前記記憶部には、前記第１蓄電池パックが貸与されたときの前記第１蓄電池パックの状態を示す情報が記憶され、
前記制御部は、
前記第１蓄電池パックが貸与されたときの前記第１蓄電池パックの状態を示す情報と、前記第１蓄電池パックの状態を示す情報とを比較して前記第１蓄電池パックの品質の変化を判定する、
請求項１または２に記載の貸与システム。
【請求項４】
前記第１蓄電池パックが返却されるときの前記第１蓄電池パックの状態を示す情報に基づき、前記第１蓄電池パックとの交換によって貸与される第２蓄電池パックを決定する、
請求項１または２に記載の貸与システム。
【請求項５】
前記判定の結果に基づき前記借用者の評価がなされる、
請求項３に記載の貸与システム。
【発明の詳細な説明】
【技術分野】
【０００１】
本開示は、蓄電池パックの貸与システム等に関する。
【背景技術】
【０００２】
蓄電池パックの貸与システム等に関する技術として、特許文献１に記載の技術がある。特許文献１には、ユーザの希望に応じた電池を提供する電池レンタルシステムが記載されている。
【先行技術文献】
【特許文献】
【０００３】
【特許文献１】特開２０１１−１１８６３８号公報
【発明の概要】
【発明が解決しようとする課題】
【０００４】
しかしながら、貸与用の蓄電池パックが適切に管理されていなければ、借用者へ蓄電池パックを貸与すること、および、借用者から蓄電池パックを回収することが困難である。
【０００５】
上記事情を鑑み、例示的でないある実施形態は、貸与用の蓄電池パックを適切に管理することができる貸与システム等を提供する。
【課題を解決するための手段】
【０００６】
例えば、本開示の一態様に係る貸与システムは、蓄電池パックの貸与システムであって、借用者の識別情報である第１識別情報が記憶された記憶装置から前記第１識別情報を取得する第１取得部と、貸与用の蓄電池パックである第１蓄電池パックに設けられた記憶部から前記第１蓄電池パックの識別情報である第２識別情報を取得する第２取得部と、前記借用者に前記第１蓄電池パックが貸与されるとき、前記第１取得部で取得された前記第１識別情報と前記第２取得部で取得された前記第２識別情報とを対応付ける制御部と、前記第１識別情報と前記第２識別情報とが対応付けられて記憶される記憶部とを備え、前記第２取得部は、さらに、前記借用者から前記第１蓄電池パックが返却されるとき、前記第１蓄電池パックの状態を示す情報を取得し、前記制御部は、前記第１蓄電池パックの状態を示す情報を、前記第１識別情報と関連付ける。
【０００７】
なお、これらの包括的または具体的な態様は、装置、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムおよび記録媒体の任意な組み合わせで実現されてもよい。
【発明の効果】
【０００８】
本開示の一態様に係る貸与システムは、貸与用の蓄電池パックを適切に管理することができる。
【図面の簡単な説明】
【０００９】
【図１】図１は、実施の形態における貸与システムの構成を示すブロック図である。
【図２】図２は、実施の形態における貸与システムの第１適用例を示す模式図である。
【図３】図３は、実施の形態における貸与システムの第２適用例を示す模式図である。
【図４】図４は、実施の形態における検査装置等の構成を示すブロック図である。
【図５】図５は、実施の形態における貸与情報を示す図である。
【図６】図６は、実施の形態における劣化度を示す情報を示す図である。
【図７】図７は、実施の形態における会員登録処理を示すフローチャートである。
【図８】図８は、実施の形態における貸出処理を示すフローチャートである。
【図９】図９は、実施の形態における返却処理を示すフローチャートである。
【図１０】図１０は、実施の形態における交換処理を示すフローチャートである。
【図１１】図１１は、実施の形態における交換処理の変形例を示すフローチャートである。
【発明を実施するための形態】
【００１０】
（本開示の基礎となった知見）
本発明者は、「背景技術」の欄において記載した、蓄電池パックの貸与システムに関し、以下の課題を見出した。
【００１１】
同種の複数の蓄電池パックのそれぞれを外見から識別することは難しいが、これらの蓄電池パックのそれぞれについて、劣化度（劣化レベル）が充電回数等によって他の蓄電池パックと異なる場合がある。すなわち、複数の蓄電池パックが同じように見える場合でも、これらの品質が大きく異なる可能性がある。このような特性を備える蓄電池パックが借用者に貸与される場合、蓄電池パックを適切に識別することが求められる。
【００１２】
そこで、本開示の第１態様に係る貸与システムは、蓄電池パックの貸与システムであって、借用者の識別情報である第１識別情報が記憶された記憶装置から前記第１識別情報を取得する第１取得部と、貸与用の蓄電池パックである第１蓄電池パックに設けられた記憶部から前記第１蓄電池パックの識別情報である第２識別情報を取得する第２取得部と、前記借用者に前記第１蓄電池パックが貸与されるとき、前記第１取得部で取得された前記第１識別情報と前記第２取得部で取得された前記第２識別情報とを対応付ける制御部と、前記第１識別情報と前記第２識別情報とが対応付けられて記憶される記憶部とを備える。
【００１３】
これにより、貸与システムは、借用者と、借用者に貸与される蓄電池パックとを適切に対応付けて管理することができる。
【００１４】
本開示の第２態様に係る貸与システムは、第１態様の貸与システムにおいて、前記第２取得部は、さらに、前記第１蓄電池パックの劣化度である第１劣化度を示す情報を取得し、前記貸与システムが備える前記記憶部には、さらに、前記第２取得部で取得された前記第１劣化度を示す情報が記憶されてもよい。
【００１５】
これにより、貸与システムは、貸与用の蓄電池パックの劣化度を適切に管理することができる。
【００１６】
また、本開示の第３態様に係る貸与システムは、第２態様の貸与システムにおいて、さらに、前記借用者に前記第１蓄電池パックが貸与されるとき、前記貸与システムが備える前記記憶部から前記第１劣化度を示す情報を取得し、前記第１劣化度を示す情報を出力する出力部を備えてもよい。
【００１７】
これにより、貸与システムは、借用者に蓄電池パックが貸与されるとき、蓄電池パックの劣化度を通知することができる。
【００１８】
また、本開示の第４態様に係る貸与システムは、第３態様の貸与システムにおいて、前記出力部は、表示画面に前記第１劣化度を示す情報を出力してもよい。
【００１９】
これにより、貸与システムは、借用者に蓄電池パックが貸与されるとき、蓄電池パックの劣化度を視覚的に通知することができる。
【００２０】
また、本開示の第５態様に係る貸与システムは、第１態様−第４態様のいずれか一つの貸与システムにおいて、前記第２取得部は、さらに、前記借用者が所有する蓄電池パックである第２蓄電池パックに設けられた記憶部から前記第２蓄電池パックの識別情報である第３識別情報を取得し、前記制御部は、さらに、前記第１蓄電池パックと前記第２蓄電池パックとの交換によって前記借用者に前記第１蓄電池パックが貸与されるとき、前記第１取得部で取得された前記第１識別情報と前記第２取得部で取得された前記第３識別情報とを対応付け、前記貸与システムが備える前記記憶部には、さらに、前記第１識別情報と前記第３識別情報とが対応付けられて記憶されてもよい。
【００２１】
これにより、貸与システムは、借用者と、借用者が所有する蓄電池パックとを適切に対応付けて管理することができる。
【００２２】
また、本開示の第６態様に係る貸与システムは、第５態様の貸与システムにおいて、さらに、前記第２蓄電池パックの充電が完了すると、前記借用者に前記充電の完了を報知する報知部を備えてもよい。
【００２３】
これにより、貸与システムは、借用者が所有する蓄電池パックの受け取りに適したタイミングを借用者に通知することができる。
【００２４】
また、本開示の第７態様に係る貸与システムは、第１態様−第６態様のいずれか一つの貸与システムにおいて、前記制御部は、前記借用者から前記第１蓄電池パックが返却されるとき、前記第１取得部で取得される前記第１識別情報と、前記第２取得部で取得される前記第２識別情報とを、前記借用者に前記第１蓄電池パックが貸与されるとき前記制御部で対応付けられ前記貸与システムが備える前記記憶部に記憶された前記第１識別情報と前記第２識別情報とに対して照合してもよい。
【００２５】
これにより、貸与システムは、借用者に貸与された蓄電池パックが、借用者から返却される蓄電池パックと同じであることを確認することができる。
【００２６】
また、本開示の第８態様に係る貸与システムは、第１態様−第７態様のいずれか一つの貸与システムにおいて、前記制御部は、前記借用者から前記第１蓄電池パックが返却されるとき、返却期限を超過していると、前記借用者にペナルティを科すための処理を実行してもよい。
【００２７】
これにより、貸与システムは、蓄電池パックの返却期限の超過に従って、借用者にペナルティを科すことができる。
【００２８】
また、本開示の第９態様に係る貸与システムは、第２態様−第４態様のいずれか一つの貸与システムにおいて、前記制御部は、前記第２取得部で取得された前記借用者から前記第１蓄電池パックが返却されるときの前記第１劣化度を示す情報と前記貸与システムが備える記憶部に記憶された前記借用者に前記第１蓄電池パックを貸与するときの前記第１劣化度を示す情報とから、前記借用者から前記第１蓄電池パックが返却されるときの第１劣化度が、前記借用者に前記第１蓄電池パックを貸与するときの前記第１劣化度よりも所定値以上高いと判定されると、前記借用者にペナルティを科すための処理を実行してもよい。
【００２９】
これにより、貸与システムは、借用者から返却された蓄電池パックの過度の劣化に従って、ペナルティを科すことができる。
【００３０】
また、本開示の第１０態様に係る貸与システムは、第１態様−第９態様のいずれか一つの貸与システムにおいて、前記第２取得部は、さらに、前記借用者から前記第１蓄電池パックが返却されるとき、前記第１蓄電池パックの状態を示す情報を取得し、前記制御部は、前記第１蓄電池パックの状態を示す情報に従って前記第１蓄電池パックが異常であると判定されると、前記借用者にペナルティを科すための処理を実行してもよい。
【００３１】
これにより、貸与システムは、借用者から返却された蓄電池パックの異常に従って、ペナルティを科すことができる。
【００３２】
また、本開示の第１１態様に係る貸与システムは、第２態様−第４態様のいずれか一つの貸与システムにおいて、前記第２取得部は、さらに、前記借用者によって持ち込まれた蓄電池パックである第２蓄電池パックの劣化度である第２劣化度を示す情報を取得し、前記制御部は、前記第１蓄電池パックと前記第２蓄電池パックとの交換によって前記借用者に前記第１蓄電池パックが貸与されるとき、貸与用の複数の蓄電池パックの中から、前記第２劣化度以下の劣化度の蓄電池パックを前記借用者に貸与される前記第１蓄電池パックとして選択してもよい。
【００３３】
これにより、貸与システムは、借用者が持ち込んだ蓄電池パックと同等以上の品質を備える蓄電池パックを借用者に貸与される蓄電池パックとして選択することができる。
【００３４】
また、本開示の第１２態様に係る貸与システムは、第１態様−第１１態様のいずれか一つの貸与システムにおいて、前記第１蓄電池パックと電気的に接続される接続部と、前記接続部に接続された前記第１蓄電池パックを放電させる放電部とを備え、前記接続部は、前記第２取得部と一体に形成され、前記第２取得部は、前記第１蓄電池パックと前記接続部とが接続しているとき、前記第１蓄電池パックに設けられた記憶部から前記第２識別情報を取得することが可能な位置に設けられていてもよい。
【００３５】
これにより、貸与システムは、蓄電池パックを放電させつつ、蓄電池パックの識別情報を取得することができる。
【００３６】
また、本開示の第１３態様に係る貸与システムは、第１２態様の貸与システムにおいて、さらに、前記第１蓄電池パックと前記放電部とが前記接続部を介して電気的に接続されているとき、前記放電部を用いて前記第１蓄電池パックが放電するか否かを検査する第１検査部を備えてもよい。
【００３７】
これにより、貸与システムは、貸与時及び返却時の少なくとも一方において、蓄電池パックが適切に放電するか否かを検査することができる。
【００３８】
また、本開示の第１４態様に係る貸与システムは、第１３態様の貸与システムにおいて、さらに、前記接続部に接続された前記第１蓄電池パックを充電させる充電部と、前記第１蓄電池パックと前記充電部とが前記接続部を介して電気的に接続されているとき、前記充電部を用いて前記第１蓄電池パックが充電するか否かを検査する第２検査部とを備えてもよい。
【００３９】
これにより、貸与システムは、貸与時及び返却時の少なくとも一方において、蓄電池パックが適切に充電するか否かを検査することができる。
【００４０】
また、本開示の第１５態様に係る貸与システムは、第１態様−第１０態様のいずれか一つの貸与システムにおいて、前記第１蓄電池パックを含む複数の蓄電池パックを収納する筐体と、前記筐体内に設けられ、前記複数の蓄電池パックのそれぞれと電気的に接続される接続部と、外部電源からの電力を用いて、前記接続部に接続された前記複数の蓄電池パックを充電させる充電部とを備え、前記第２取得部は、前記筐体内において、前記接続部に接続された前記複数の蓄電池パックに設けられた複数の記憶部から前記複数の蓄電池パックのそれぞれの識別情報を取得することが可能な位置に配設されていてもよい。
【００４１】
これにより、貸与システムは、複数の蓄電池パックを収納する筐体において、複数の蓄電池パックを充電させつつ、複数の蓄電池パックのそれぞれの識別情報を取得することができる。
【００４２】
なお、これらの包括的または具体的な態様は、装置、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムまたは記録媒体の任意な組み合わせで実現されてもよい。
【００４３】
特に、本開示の第１６形態に係る貸与管理方法は、蓄電池パックの貸与システムが行う貸与管理方法であって、借用者の識別情報である第１識別情報が記憶された記憶装置から前記第１識別情報を取得するステップと、貸与用の蓄電池パックである第１蓄電池パックに設けられた記憶部から前記第１蓄電池パックの識別情報である第２識別情報を取得するステップと、前記借用者に前記第１蓄電池パックが貸与されるとき、取得された前記第１識別情報と取得された前記第２識別情報とを対応付けて前記貸与システムが備える記憶部に記憶するステップとを含んでもよい。
【００４４】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００４５】
また、第１、第２および第３などの序数が、構成要素などに対して、表現上、適宜付け加えられてもよい。
【００４６】
（実施の形態）
図１は、本実施の形態における貸与システムの構成を示すブロック図である。図１に示された貸与システムの基本的な構成要素は、取得部１２１、１５１、制御部１６１、および、記憶部１７１である。その他の構成要素は、貸与システムに含まれなくてもよい。
【００４７】
記憶装置１１１は、本開示の記憶装置の一例であって、借用者の識別情報が記憶された記憶装置である。例えば、記憶装置１１１は、借用者の識別情報が記憶されたＩＣ（Ｉｎｔｅｇｒａｔｅｄ  Ｃｉｒｃｕｉｔ）カードであってもよいし、借用者の識別番号が記憶された携帯端末内の記憶部であってもよい。また、携帯端末の記憶部に記憶された個体識別番号を借用者の識別番号として使用してもよい。つまり、借用者の識別番号として使用可能であれば、識別番号の種類は任意である。また、借用者は、例えば、個人であるが、これに限定されず、法人等の組織であってもよい。なお、以下において、借用者の識別情報を借用者識別情報と呼ぶ場合がある。
【００４８】
取得部１２１は、本開示の第１取得部の一例であって、記憶装置１１１から借用者識別情報を取得する取得部である。例えば、取得部１２１は、ＩＣカードから借用者識別情報を取得するカードリーダである。
【００４９】
筐体１３１は、本開示の筐体の一例であって、蓄電池パック１４１が収納される筐体である。筐体１３１には、複数の蓄電池パック１４１が収納されてもよい。筐体１３１は、取得部１５１、接続部１５２、放電部１５３、充電部１５５、検査部１５４、１５６、制御部１６１、および、記憶部１７１を備えてもよい。筐体１３１は、さらに、出力部１８１および報知部１８２を備えてもよい。
【００５０】
蓄電池パック１４１は、本開示の蓄電池パック（第１蓄電池パックおよび第２蓄電池パック）の一例であって、充電および放電が可能な蓄電池パックである。また、蓄電池パック１４１は、記憶部１４２を備える。
【００５１】
貸与システムでは、複数の蓄電池パック１４１が利用されてもよい。例えば、貸与用の蓄電池パック１４１と、借用者によって持ち込まれた蓄電池パック１４１との交換によって、貸与用の蓄電池パック１４１が借用者に貸与されてもよい。借用者によって持ち込まれた蓄電池パック１４１は、借用者が所有する蓄電池パック１４１でもよいし、借用者から返却される蓄電池パック１４１でもよい。
【００５２】
記憶部１４２は、本開示の記憶部（第１蓄電池パックに設けられた記憶部、および、第２蓄電池パックに設けられた記憶部）の一例であって、蓄電池パック１４１の識別情報等が記憶された記憶部である。例えば、記憶部１４２は、蓄電池パック１４１の識別情報が記憶されたＩＣタグである。識別情報としては、蓄電池パック１４１のＩＤ番号、製造年月日、製造場所等が例示される。なお、以下において、蓄電池パックの識別情報を蓄電池パック識別情報と呼ぶ場合がある。
【００５３】
記憶部１４２には、さらに、蓄電池パック１４１の状態を示す情報が記憶されていてもよい。蓄電池パック１４１の状態を示す情報としては、充電量、設計容量、学習容量、内部抵抗、温度、充放電サイクル数（例えば、充電回数、放電回数）および温度異常、電流異常、電圧異常、衝撃異常等の異常履歴情報等が例示される。
【００５４】
取得部１５１は、本開示の第２取得部の一例であって、蓄電池パック１４１の記憶部１４２から蓄電池パック識別情報を取得する取得部である。例えば、取得部１５１は、ＩＣタグから蓄電池パック識別情報を読み出すタグリーダである。
【００５５】
接続部１５２は、本開示の接続部の一例であって、蓄電池パック１４１と電気的に接続するための接続部である。蓄電池パック１４１に接続された接続部１５２を介して、蓄電池パック１４１に電力が入力され、蓄電池パック１４１から電力が出力される。
【００５６】
放電部１５３は、本開示の放電部の一例であって、接続部１５２に接続された蓄電池パック１４１を放電させる放電部である。すなわち、放電部１５３は、接続部１５２を介して蓄電池パック１４１を放電させる。
【００５７】
検査部１５４は、本開示の第１検査部の一例であって、蓄電池パック１４１が放電可能であるか否かを検査する検査部である。具体的には、検査部１５４は、蓄電池パック１４１が接続部１５２に接続された状態において、放電部１５３によって蓄電池パック１４１が放電するか否かを検査する。例えば、検査部１５４は、放電部１５３によって蓄電池パック１４１を放電させたとき、正常な電流値が得られるか否かを検査することにより、蓄電池パック１４１が放電するか否かを検査する。
【００５８】
充電部１５５は、本開示の充電部の一例であって、接続部１５２に接続された蓄電池パック１４１を充電させる充電部である。すなわち、充電部１５５は、接続部１５２を介して蓄電池パック１４１を充電させる。
【００５９】
検査部１５６は、本開示の第２検査部の一例であって、蓄電池パック１４１が充電可能であるか否かを検査する検査部である。具体的には、検査部１５６は、蓄電池パック１４１が接続部１５２に接続された状態において、充電部１５５によって蓄電池パック１４１が充電するか否かを検査する。例えば、検査部１５６は、充電部１５５によって蓄電池パック１４１を充電させたとき、正常な電流値が得られるか否かを検査することにより、蓄電池パック１４１が充電するか否かを検査する。
【００６０】
制御部１６１は、本開示の制御部の一例であって、貸与システムを制御する制御部である。例えば、制御部１６１は、制御機能を備えるものであればよく、演算処理部（図示せず）と、制御プログラムを記憶する記憶部（図示せず）とを備える。演算処理部としては、ＭＰＵ、ＣＰＵが例示される。記憶部としては、メモリが例示される。制御部１６１は、集中制御を行う単独の制御部で構成されていてもよく、互いに協働して分散制御を行う複数の制御部で構成されていてもよい。
【００６１】
具体的には、制御部１６１は、取得部１２１で取得された借用者識別情報と、取得部１５１で取得された蓄電池パック識別情報とを対応付ける。また、制御部１６１は、蓄電池パック１４１の返却の際に取得部１２１および取得部１５１から取得される情報と、蓄電池パック１４１の貸与の際に記憶部１７１に記憶された情報とを照合する。なお、借用者に、複数の蓄電池パックを貸与する場合、各蓄電池パックの識別情報に対して借用者の識別情報に異なる識別情報をそれぞれ付加した識別情報を借用者の識別情報として用い、この識別情報と各蓄電池パックの識別情報と対応付けしてもよい。
【００６２】
記憶部１７１は、本開示の貸与システムが備える記憶部の一例であって、蓄電池パック１４１が借用者に貸与されるとき、借用者の識別情報と蓄電池パック１４１の識別情報とが対応付けられて記憶される記憶部である。例えば、記憶部１７１は、情報処理装置における記憶部である。
【００６３】
記憶部１７１には、さらに、蓄電池パック１４１の劣化度を示す情報が記憶されてもよい。また、記憶部１７１には、さらに、蓄電池パック１４１が借用者によって持ち込まれた所有物であるとき、借用者の識別情報と、蓄電池パック１４１の識別情報とが対応付けられて記憶されてもよい。
【００６４】
記憶部１７１は、物理的に複数の記憶素子を含んでもよい。すなわち、記憶部１７１は、物理的に複数の記憶部を含んでもよい。例えば、記憶部１７１は、（ｉ）借用者の識別情報と借用者に貸与される蓄電池パック１４１の識別情報とが対応付けられて記憶される記憶部と、（ｉｉ）蓄電池パック１４１の劣化度を示す情報が記憶される記憶部と、（ｉｉｉ）借用者の識別情報と借用者が所有する蓄電池パック１４１の識別情報とが対応付けられて記憶される記憶部とを含んでもよい。
【００６５】
出力部１８１は、本開示の出力部の一例であって、記憶部１７１に記憶された劣化度を示す情報を取得し、取得した劣化度を示す情報を出力する出力部である。例えば、出力部１８１は、情報処理装置における出力部である。出力部１８１は、表示画面に劣化度を示す情報を出力してもよい。表示画面は、出力部１８１に含まれてもよい。あるいは、出力部１８１は、出力部１８１の外部の表示画面に劣化度を示す情報を出力してもよい。
【００６６】
報知部１８２は、本開示の報知部の一例であって、充電の完了を報知する報知部である。例えば、報知部１８２は、蓄電池パック１４１が借用者の所有物である場合、蓄電池パック１４１の充電の完了時に、充電の完了を借用者に報知する。報知部１８２は、通信によって借用者が利用する情報端末に充電の完了を報知してもよいし、スピーカまたはＬＥＤ（発光ダイオード）などによって、充電の完了を報知してもよい。
【００６７】
例えば、取得部１２１が、記憶装置１１１から借用者の識別情報を取得する。そして、取得部１５１が、蓄電池パック１４１の記憶部１４２から蓄電池パック１４１の識別情報を取得する。そして、制御部１６１は、借用者に蓄電池パック１４１が貸与されるとき、取得部１２１で取得された識別情報と、取得部１５１で取得された識別情報とを対応付けて記憶部１７１に記憶する。これにより、貸与システムは、借用者と、借用者に貸与される蓄電池パック１４１とを適切に対応付けて管理することができる。
【００６８】
また、例えば、取得部１５１は、蓄電池パック１４１の劣化度を示す情報を取得する。そして、制御部１６１は、取得部１５１で取得された劣化度を示す情報を記憶部１７１に記憶する。これにより、貸与システムは、蓄電池パック１４１の劣化度を適切に管理することができる。
【００６９】
また、例えば、出力部１８１は、借用者に蓄電池パック１４１が貸与されるとき、記憶部１７１から劣化度を示す情報を取得し、取得した劣化度を示す情報を出力する。これにより、貸与システムは、借用者に蓄電池パック１４１が貸与されるとき、蓄電池パック１４１の劣化度を示す情報を通知することができる。
【００７０】
また、例えば、出力部１８１は、取得した劣化度を示す情報を表示画面に出力する。これにより、貸与システムは、借用者に蓄電池パック１４１が貸与されるとき、蓄電池パック１４１の劣化度を視覚的に通知することができる。
【００７１】
また、例えば、取得部１５１は、借用者が所有する蓄電池パック１４１の記憶部１４２から蓄電池パック１４１の識別情報を取得する。制御部１６１は、貸与用の蓄電池パック１４１と借用者が所有する蓄電池パック１４１との交換によって貸与用の蓄電池パック１４１が貸与されるとき、借用者の識別情報と、借用者が所有する蓄電池パック１４１の識別情報とを対応付けて記憶部１７１に記憶する。これにより、貸与システムは、借用者と、借用者が所有する蓄電池パック１４１とを適切に対応付けて管理することができる。
【００７２】
また、例えば、報知部１８２は、借用者が所有する蓄電池パック１４１の充電が完了すると、借用者に充電の完了を報知する。具体的には、借用者が利用する情報端末に、充電が完了したことを通知してもよい。これにより、貸与システムは、借用者が所有する蓄電池パック１４１の受け取りに適したタイミングを借用者に通知することができる。
【００７３】
また、例えば、制御部１６１は、借用者から蓄電池パック１４１が返却されるとき、取得部１２１および取得部１５１で取得される識別情報を、記憶部１７１に記憶された識別情報に対して照合する。これにより、貸与システムは、借用者に貸与された蓄電池パック１４１が、借用者から返却される蓄電池パック１４１と同じであることを確認することができる。
【００７４】
また、例えば、制御部１６１は、借用者から蓄電池パック１４１が返却されるとき、返却期限を超過していると、借用者にペナルティを科すための罰則処理を実行する。これにより、貸与システムは、蓄電池パック１４１の返却期限の超過に従って、借用者にペナルティを科すことができる。
【００７５】
また、例えば、制御部１６１は、取得部１５１で取得される、借用者から蓄電池パック１４１が返却されるときの劣化度を示す情報と記憶部１７１に記憶された借用者に蓄電池パック１４１を貸与するときの劣化度を示す情報とから、借用者から蓄電池パック１４１が返却されるときの劣化度が借用者に蓄電池パック１４１を貸与するときの劣化度よりも所定値以上高いと判定されると、借用者にペナルティを科すための罰則処理を実行する。これにより、貸与システムは、借用者から返却された蓄電池パック１４１の過度の劣化に従って、ペナルティを科すことができる。なお、上記所定値は、貸与者によって任意に設定される。
【００７６】
また、例えば、取得部１５１は、さらに、借用者から蓄電池パック１４１が返却されるとき、蓄電池パック１４１の状態を示す情報を取得する。ここで、蓄電池パック１４１の状態を示す情報としては、例えば、充電量、電圧、温度、充放電サイクル数、温度異常、電流異常、電圧異常、衝撃異常等の異常履歴情報等が挙げられる。
【００７７】
制御部１６１は、蓄電池パック１４１の状態を示す情報に従って蓄電池パック１４１が異常であると判定されると、借用者にペナルティを科すための罰則処理を実行する。これにより、貸与システムは、借用者から返却された蓄電池パック１４１の異常に従って、ペナルティを科すことができる。
【００７８】
また、例えば、取得部１５１は、さらに、借用者によって持ち込まれた蓄電池パック１４１の劣化度を示す情報を取得する。制御部１６１は、貸与用の蓄電池パック１４１と借用者によって持ち込まれた蓄電池パック１４１との交換によって貸与用の蓄電池パック１４１が借用者に貸与されるとき、貸与用の複数の蓄電池パック１４１から、借用者に貸与される蓄電池パック１４１を選択する。その際、制御部１６１は、借用者によって持ち込まれた蓄電池パック１４１の劣化度以下の劣化度の蓄電池パック１４１を借用者に貸与される蓄電池パック１４１として選択する。
【００７９】
これにより、貸与システムは、借用者が持ち込んだ蓄電池パック１４１と同等以上の品質を備える蓄電池パック１４１を借用者に貸与される蓄電池パック１４１として選択することができる。
【００８０】
また、例えば、接続部１５２は、蓄電池パック１４１と電気的に接続される。放電部１５３は、接続部１５２に接続された蓄電池パック１４１を放電させる。接続部１５２は、取得部１５１と一体に形成されている。取得部１５１は、蓄電池パック１４１と接続部１５２とが接続された状態において、蓄電池パック１４１に設けられた記憶部１４２から蓄電池パック識別情報を取得することが可能な位置に設けられている。具体的には、取得部１５１が、有線通信を介して蓄電池パック識別情報を取得する場合、取得部１５１は、通信端子であり、蓄電池パック１４１と接続部１５２が接続された状態において、上記通信端子が蓄電池パック１４１側の通信端子と接続される位置に設けられている。また、取得部１５１が、無線通信を介して蓄電池パック識別情報を取得する場合、取得部１５１は、無線通信器であり、蓄電池パック１４１と接続部１５２が接続された状態において、上記無線通信器が蓄電池パック１４１側の無線通信器と通信可能な位置に設けられている。なお、蓄電池パック１４１側の無線通信器と通信可能な位置とは、蓄電池パック１４１側の無線通信器の通信範囲内を意味する。
【００８１】
これにより、貸与システムは、蓄電池パック１４１を放電させつつ、蓄電池パック１４１の識別情報を取得することができる。
【００８２】
また、例えば、検査部１５４は、蓄電池パック１４１と放電部１５３とが接続部１５２を介して電気的に接続された状態において、放電部１５３を用いて蓄電池パック１４１が放電するか否かを検査する。これにより、貸与システムは、貸与時及び返却時の少なくとも一方において、蓄電池パック１４１が適切に放電するか否かを検査することができる。
【００８３】
また、例えば、充電部１５５は、接続部１５２に接続された蓄電池パック１４１を充電させる。検査部１５６は、蓄電池パック１４１と充電部１５５とが接続部１５２を介して電気的に接続された状態において、充電部１５５を用いて蓄電池パック１４１が充電するか否かを検査する。これにより、貸与システムは、貸与時及び返却時の少なくとも一方において、蓄電池パック１４１が適切に充電するか否かを検査することができる。
【００８４】
また、例えば、筐体１３１は、複数の蓄電池パック１４１を収納する。接続部１５２は、筐体１３１内に設けられ、複数の蓄電池パック１４１のそれぞれと電気的に接続される。充電部１５５は、外部電源からの電力を用いて、接続部１５２に接続された複数の蓄電池パック１４１を充電させる。取得部１５１は、筐体１３１内において、接続部１５２に接続された複数の蓄電池パック１４１の複数の記憶部１４２から複数の蓄電池パック１４１のそれぞれの識別情報を取得することが可能な位置に配設されている。
【００８５】
これにより、貸与システムは、複数の蓄電池パック１４１を収納する筐体１３１において、複数の蓄電池パック１４１を充電させつつ、複数の蓄電池パック１４１のそれぞれの識別情報を取得することができる。
【００８６】
図２は、図１に示された貸与システムの第１適用例を示す模式図である。図２には、会員カード２１０、カードリーダ２２０、蓄電池パック２３０、検査装置２４０、処理装置２５０、ルータ２６０、および、サーバ装置２７０が示されている。
【００８７】
会員カード２１０は、図１の記憶装置１１１に対応する。会員カード２１０には、貸与サービスの会員である借用者を識別するための借用者識別情報が記憶されている。会員カード２１０は、借用者が会員として登録されることによって、貸与サービスを運営する事業者から借用者に与えられる。なお、以下において、借用者識別情報は、会員ＩＤと表現される場合がある。
【００８８】
カードリーダ２２０は、図１の取得部１２１に対応する。カードリーダ２２０は、会員カード２１０から会員ＩＤを読み出すことによって、会員ＩＤを取得する。
【００８９】
蓄電池パック２３０は、図１の蓄電池パック１４１に対応する。蓄電池パック２３０は、充電および放電が可能な蓄電池パックである。蓄電池パック２３０は、図１の記憶部１４２に対応する記憶部を備える。蓄電池パック２３０の記憶部には、蓄電池パック２３０の識別情報（蓄電池パック識別情報）が記憶される。蓄電池パック２３０の記憶部には、さらに、蓄電池パック２３０の充電回数、放電回数、内部抵抗および学習容量等が記憶されてもよい。
【００９０】
なお、以下において、蓄電池パック識別情報は、蓄電池パックＩＤと表現される場合がある。
【００９１】
検査装置２４０は、図１の取得部１５１、接続部１５２、放電部１５３、充電部１５５、および、検査部１５４、１５６に対応する。また、検査装置２４０においても、接続部１５２及び取得部１５１が一体に形成されており、取得部１５１は、蓄電池パック１４１と接続部１５２とが接続された状態において、蓄電池パック１４１に設けられた記憶部１４２から蓄電池パック識別情報を取得することが可能な位置に設けられていてもよい。例えば、検査装置２４０は、蓄電池パック２３０の記憶部から蓄電池パック識別情報を取得する。その他、検査装置２４０は、図１の接続部１５２、放電部１５３、充電部１５５、および、検査部１５４、１５６と同様の役割を果たす。
【００９２】
また、検査装置２４０は、蓄電池パック２３０と電気的に接続される。そして、検査装置２４０は、蓄電池パック２３０が放電するか否かを検査してもよい。また、検査装置２４０は、蓄電池パック２３０が充電するか否かを検査してもよい。
【００９３】
処理装置２５０は、図１の制御部１６１、出力部１８１および報知部１８２に対応する。例えば、処理装置２５０は、図１の制御部１６１、出力部１８１および報知部１８２を含む。処理装置２５０は、情報を処理するパソコンであってもよい。例えば、処理装置２５０は、カードリーダ２２０で取得される会員ＩＤと、検査装置２４０で取得される蓄電池パックＩＤとを対応付ける。その他、処理装置２５０は、図１の制御部１６１、出力部１８１および報知部１８２と同様の役割を果たす。
【００９４】
ルータ２６０は、処理装置２５０とサーバ装置２７０との間の通信を中継する通信装置である。より具体的には、ルータ２６０は、処理装置２５０がインターネットを介してサーバ装置２７０と通信するための中継装置である。
【００９５】
サーバ装置２７０は、図１の記憶部１７１に対応する。例えば、サーバ装置２７０は、記憶部１７１を含む。また、サーバ装置２７０は、１以上のサーバ装置を含んでもよいし、クラウドシステムを構成してもよい。本実施の形態において、サーバ装置２７０と処理装置２５０とは、インターネットを介して接続される。
【００９６】
例えば、サーバ装置２７０には、会員ＩＤと蓄電池パックＩＤとが対応付けられて記憶される。その他、サーバ装置２７０は、図１の記憶部１７１と同様の役割を果たす。なお、サーバ装置２７０で会員ＩＤ及び蓄電池パックＩＤを管理しない場合は勿論であるが、上記のように、サーバ装置２７０で会員ＩＤと蓄電池パックＩＤとが対応付けられて記憶している場合であっても、処理装置２５０が、会員ＩＤと蓄電池パックＩＤとが対応付けられて記憶される記憶部（図示せず）を更に備えてもよい。
【００９７】
上記の通り、会員カード２１０は、借用者が貸与サービスの会員として登録されることにより、事業者から借用者に与えられる。事業者は、借用者に蓄電池パック２３０を貸与するとき、借用者に与えられた会員カード２１０を受け取る。そして、貸与システムにおいて会員カード２１０から得られる会員ＩＤと蓄電池パック２３０から得られる蓄電池パックＩＤとが対応付けられる。
【００９８】
具体的には、借用者に蓄電池パック２３０が貸与されるとき、貸与システムにおいて、カードリーダ２２０が会員カード２１０から会員ＩＤを読み出し、検査装置２４０が借用者に貸与される蓄電池パック２３０から蓄電池パックＩＤを読み出す。処理装置２５０は、カードリーダ２２０で読み出された会員ＩＤと、検査装置２４０で読み出された蓄電池パックＩＤとを対応付けて、サーバ装置２７０に登録する。その後、事業者は、借用者に蓄電池パック２３０を貸与し、借用者に会員カード２１０を返す。
【００９９】
これにより、借用者と、借用者に貸与される蓄電池パック２３０とが適切に対応付けられて管理される。
【０１００】
なお、借用者に貸与される蓄電池パック２３０の劣化度が管理されてもよい。例えば、蓄電池パック２３０の記憶部には、使用履歴情報が記憶される。使用履歴情報は、蓄電池パック２３０の劣化度を示す情報の一例である。すなわち、使用履歴情報は、蓄電池パック２３０の劣化度を示す情報に対応する。劣化度については、後述する。
【０１０１】
検査装置２４０は、借用者に貸与される蓄電池パック２３０の記憶部から使用履歴情報を取得することにより、蓄電池パック２３０の劣化度を示す情報を取得する。処理装置２５０は、検査装置２４０で得られた劣化度を示す情報をサーバ装置２７０に登録する。これにより、借用者に貸与される蓄電池パック２３０の劣化度が管理される。劣化度は、処理装置２５０の表示画面などを介して、借用者に通知されてもよい。
【０１０２】
上記の使用履歴情報は、蓄電池パック２３０の状態を示す履歴情報を含んでもよい。また、使用履歴情報は、蓄電池パック２３０において、蓄電池パックＩＤが記憶された記憶部に記憶されてもよいし、蓄電池パックＩＤが記憶された記憶部とは別の記憶部に記憶されてもよい。
【０１０３】
次に、借用者は、事業者へ蓄電池パック２３０を返却するとき、事業者へ会員カード２１０および蓄電池パック２３０を引き渡す。そして、貸与システムにおいて、会員カード２１０から得られる会員ＩＤと蓄電池パック２３０から得られる蓄電池パックＩＤとがサーバ装置２７０において対応付けられて登録されている会員ＩＤと蓄電池パックＩＤとに対して照合される。
【０１０４】
具体的には、カードリーダ２２０が借用者の会員カード２１０から会員ＩＤを読み出し、検査装置２４０が返却された蓄電池パック２３０から蓄電池パックＩＤを読み出す。処理装置２５０は、カードリーダ２２０で読み出された会員ＩＤと、検査装置２４０で読み出された蓄電池パックＩＤとを、サーバ装置２７０において対応付けられて登録されている会員ＩＤと蓄電池パックＩＤとに対して照合する。
【０１０５】
読み出された会員ＩＤが、登録されている会員ＩＤと一致し、かつ、読み出された蓄電池パックＩＤが、登録されている蓄電池パックＩＤと一致していれば、事業者は、引き渡された蓄電池パック２３０を受け入れ、借用者に会員カード２１０を引き渡す。これにより、蓄電池パック２３０が返却されるときに、借用者に貸与された蓄電池パック２３０と、借用者から返却される蓄電池パック２３０とが同じであることが適切に確認される。
【０１０６】
なお、返却時に、カードリーダ２２０で読み出された会員ＩＤ、および、検査装置２４０で読み出された蓄電池パックＩＤが、サーバ装置２７０に登録された会員ＩＤおよび蓄電池パックＩＤと一致しない場合、返却は拒否されてもよい。
【０１０７】
また、蓄電池パック２３０が所定の返却期限を超えて返却された場合、超過期間に応じて、借用者に対してペナルティが科されてもよい。
【０１０８】
また、蓄電池パック２３０の返却時に、蓄電池パック２３０の品質検査が行われてもよい。例えば、検査装置２４０は、返却される蓄電池パック２３０の記憶部から使用履歴情報を取得することにより、蓄電池パック２３０の劣化度を示す情報を取得する。
【０１０９】
そして、返却時に蓄電池パック２３０の劣化度が、貸与時にサーバ装置２７０に登録された劣化度よりも過度に高い場合、すなわち、劣化が過度に進行している場合、劣化が過度に進行していることを示す情報が処理装置２５０を介して借用者に通知されてもよい。そして、劣化の進行度に応じて、借用者に対してペナルティが科されてもよい。
【０１１０】
また、蓄電池パック２３０の返却時に、蓄電池パック２３０の異常検査が行われてもよい。例えば、蓄電池パック２３０の記憶部に記憶された使用履歴情報が、蓄電池パック２３０の内部の温度上昇、または、落下に伴う振動等のような異常を示す場合がある。
【０１１１】
そこで、処理装置２５０は、検査装置２４０を介して蓄電池パック２３０の使用履歴情報を取得し、使用履歴情報に基づいて蓄電池パック２３０に異常があるか否かを判定する。処理装置２５０は、蓄電池パック２３０に異常がある場合、異常を示す情報を借用者に通知し、異常の度合い（レベル）に応じて、借用者にペナルティを科してもよい。また、蓄電池パック２３０に重度の異常がある場合、蓄電池パック２３０は廃棄される。
【０１１２】
借用者にペナルティが科される際、処理装置２５０は、借用者にペナルティを科すための罰則処理を行う。罰則処理は、蓄電池パックの貸与に対して、通常よりも高い請求金額を算出する処理、新規の貸し出しを制限する情報を会員ＩＤに対応付ける処理、または、貸与サービスを利用するための割引ポイントを減らす処理等のような情報処理である。なお、上記「通常」とは、借用者にペナルティが科されていないときを意味する。
【０１１３】
また、処理装置２５０は、品質検査および異常検査の結果をサーバ装置２７０に送信してもよい。サーバ装置２７０は、品質検査および異常検査の結果を保存してもよい。また、例えば、異常検査の結果、返却された蓄電池パック２３０に重度の異常がある場合、蓄電池パック２３０は廃棄される。
【０１１４】
また、さらに、検査装置２４０は、借用者に貸与される蓄電池パック２３０の充電および放電の検査を行ってもよい。また、検査装置２４０は、借用者から返却された蓄電池パック２３０の充電および放電の検査を行ってもよい。また、検査装置２４０は、充電および放電の一方の検査を行ってもよい。貸与時の充電状態は高く、返却時の充電状態は低いと想定される。したがって、検査装置２４０は、貸与時に放電の検査を行い、返却時に充電の検査を行ってもよい。
【０１１５】
蓄電池パック２３０が返却された後、事業者から借用者に別の蓄電池パックが貸与されてもよい。例えば、放電された蓄電池パック２３０が借用者から事業者へ返却され、充電された別の蓄電池パックが事業者から借用者へ貸与されてもよい。次に、この例を示す。
【０１１６】
図３は、図１に示された貸与システムの第２適用例を示す模式図である。図３には、さらに、充電ロッカー２８０および蓄電池パック２９０が示されている。
【０１１７】
充電ロッカー２８０は、図１の筐体１３１に対応する。充電ロッカー２８０は、複数の蓄電池パックを収納する。また、充電ロッカー２８０は、図１の接続部１５２および充電部１５５と同様の役割を果たす。すなわち、充電ロッカー２８０は、外部電源を用いて、充電ロッカー２８０に収納された複数の蓄電池パックのそれぞれを充電させることができる。
【０１１８】
例えば、借用者から返却された蓄電池パック２３０は、充電ロッカー２８０に収納される。そして、充電ロッカー２８０は、外部電源を用いて、充電ロッカー２８０に収納された蓄電池パック２３０を充電させる。
【０１１９】
蓄電池パック２９０は、蓄電池パック２３０の代わりに、借用者に新たに貸与される蓄電池パックである。蓄電池パック２９０は、借用者に貸与される前に、充電ロッカー２８０から取り出され、検査装置２４０に配置される。そして、処理装置２５０は、カードリーダ２２０を介して会員カード２１０から得られる会員ＩＤと、検査装置２４０を介して蓄電池パック２９０から得られる蓄電池パックＩＤとを新たに対応付けてサーバ装置２７０に登録する。
【０１２０】
これにより、借用者と、借用者に新たに貸与される蓄電池パック２９０とが適切に対応付けられて管理される。
【０１２１】
例えば、処理装置２５０は、充電ロッカー２８０に収納された複数の蓄電池パックのうち、返却された蓄電池パック２３０よりも劣化していない満充電の蓄電池パックを新たに貸与される蓄電池パック２９０として選択する。処理装置２５０は、通信によって、充電ロッカー２８０に選択された蓄電池パック２９０を通知する。充電ロッカー２８０は、選択された蓄電池パック２９０をＬＥＤ等によって示す。充電ロッカー２８０は、蓄電池パック２９０の取り出しを可能にするため、解錠を行ってもよい。
【０１２２】
上記の動作によって選択され取り出された蓄電池パック２９０が借用者に貸し出されてもよい。これにより、蓄電池パック２３０と同等以上の蓄電池パック２９０が借用者へ貸し出される。これにより、借用者は、蓄電池パック２３０の使用を継続する場合と同じように、貸与された蓄電池パック２９０を使用することができる。また、複数の蓄電池パックのうち、品質の最も良い蓄電池パックが借用者に貸与されなくてもよいため、複数の蓄電池パックのそれぞれが品質に応じて有効に利用される。
【０１２３】
また、充電ロッカー２８０は、検査装置２４０と同様の役割を有していてもよい。つまり、充電ロッカー２８０は、さらに、図１の取得部１５１、放電部１５３、および、検査部１５４、１５６と同様の役割を果たしてもよい。例えば、充電ロッカー２８０は、複数の蓄電池パックのそれぞれに対して、蓄電池パックＩＤの取得、蓄電池パックの充放電、蓄電池パックの品質検査を行ってもよい。この場合、検査装置２４０は貸与システムに含まれなくてもよい。
【０１２４】
図４は、図２に示された検査装置２４０等の構成を示すブロック図である。図４に示された蓄電池パック２３０は、無線通信部２３１、蓄電池２３２、充放電制御回路２３４、スイッチ２３５、ＬＥＤ２３６、タグ２３７、および、接続部２３８を備える。
【０１２５】
無線通信部２３１は、検査装置２４０と無線で通信するための通信部である。蓄電池２３２は、電力を蓄積する。充放電制御回路２３４は、蓄電池２３２を充電させる。また、充放電制御回路２３４は、蓄電池２３２を放電させる。スイッチ２３５は、充電および放電を手動で操作するためのスイッチである。
【０１２６】
ＬＥＤ２３６は、充電及び放電の少なくとも一方の動作状態を示すインジケータである。ＬＥＤ２３６は、充電状態（ＳＯＣ：Ｓｔａｔｅ  Ｏｆ  Ｃｈａｒｇｅ）を示してもよい。タグ２３７は、蓄電池パックＩＤが記憶されている記憶部である。例えば、タグ２３７は、ＩＣタグであり、近距離無線通信（ＮＦＣ）と互換性を備えるＮＦＣタグである。接続部２３８は、検査装置２４０と電気的に接続可能な接続部である。
【０１２７】
検査装置２４０は、無線通信部２４１、充放電回路２４２、診断部２４３、読み出し部２４４および通信部２４５を備える。
【０１２８】
無線通信部２４１は、蓄電池パック２３０等と無線で通信するための通信部である。充放電回路２４２は、蓄電池パック２３０等を充電させる。また、充放電回路２４２は、蓄電池パック２３０等を放電させる。診断部２４３は、無線通信部２４１または充放電回路２４２を介して、蓄電池パック２３０の品質等を検査する。
【０１２９】
読み出し部２４４は、タグ２３７から蓄電池パックＩＤを読み出す。例えば、読み出し部２４４は、近距離無線通信によって、タグ２３７から蓄電池パックＩＤを読み出すタグリーダである。通信部２４５は、処理装置２５０と通信するための通信部である。接続部２４６は、蓄電池パック２３０等と電気的に接続可能な接続部である。
【０１３０】
検査装置２４０は、上記の構成要素を備えることによって、蓄電池パック２３０の蓄電池パックＩＤおよび劣化度を示す情報等を取得し、それらの情報を処理装置２５０に送信することができる。また、検査装置２４０は、蓄電池パック２３０を放電させることで、放電の検査を行うことができる。また、検査装置２４０は、蓄電池パック２３０を充電させることで、充電の検査を行うことができる。
【０１３１】
なお、読み出し部２４４は、蓄電池パック２３０と検査装置２４０とが電気的に接続されている状態において、近距離無線通信によってタグ２３７から蓄電池パックＩＤを読み出すことが可能な位置に設けられている。
【０１３２】
図５は、図２に示されたサーバ装置２７０において記憶される貸与情報（交換情報）を示す図である。貸与情報において、登録番号と、日付（返却遅れ）と、会員ＩＤと、持ち込み電池情報と、持ち込み電池ＩＤと、貸し出し電池情報と、貸し出し電池ＩＤと、その他の情報とが対応付けられている。
【０１３３】
登録番号は、登録された順序を示すシーケンス番号である。日付（返却遅れ）は、蓄電池パックが返却され、別の蓄電池パックが貸与された日付であり、返却が遅れた場合にはその期間を示す。会員ＩＤは、借用者を識別するための借用者識別情報である。
【０１３４】
持ち込み電池情報は、返却された蓄電池パックの充電状態を示す情報および劣化度を示す情報を含む。持ち込み電池ＩＤは、返却された蓄電池パックの蓄電池パックＩＤである。貸し出し電池情報は、貸与された蓄電池パックの充電状態を示す情報および劣化度を示す情報を含む。貸し出し電池ＩＤは、貸与された蓄電池パックＩＤである。その他の情報は、蓄電池パックの返却または貸与に関するその他の情報である。
【０１３５】
例えば、蓄電池パックが返却され、新たに別の蓄電池パックが貸与されるとき、処理装置２５０は、貸与情報に登録されたデータを確認し、貸与情報に新たなデータを登録する。貸与情報に含まれるその他の情報は、事業者によって入力されてもよい。
【０１３６】
また、例えば、図５の貸与情報における登録番号４のデータは、劣化度５の蓄電池パックが３日遅れで返却され、遅延に対する罰金および廃棄費用の入金を受けて、新たに劣化度１の蓄電池パックが貸与されたことを示している。また、例えば、登録番号５のデータは、劣化度３の蓄電池パックが返却され、新たに貸与されるべき劣化度３の蓄電池パックが欠品していたため、新たに劣化度２の蓄電池パックが貸与されたことを示している。
【０１３７】
図６は、図２に示された検査装置２４０等によって取得される劣化度を示す情報を示す図である。劣化度１〜５は、それぞれ、劣化度を示す情報に対応する。劣化度１、劣化度２、劣化度３、劣化度４、劣化度５の順に劣化度が高くなる。すなわち、劣化度１が最も劣化度が低く、劣化度５が最も劣化度が高い。また、劣化が進行しているほど、劣化度が高い。すなわち、劣化度が高いほど、品質が低い。
【０１３８】
本実施の形態において、劣化度を示す情報は、蓄電池パックの製造日からの経過期間、内部抵抗、学習容量、満充電回数、および、異常の有無等、劣化度の規定が可能な任意のパラメータによって規定される。学習容量は、蓄電池パックの初期の満充電容量に対する現在の満充電容量の割合を示す。学習容量は、ＳＯＨ（Ｓｔａｔｅ  Ｏｆ  Ｈｅａｌｔｈ）に対応する。満充電回数は、蓄電池パックが満充電状態に到達した回数である。異常の有無は、現在及び過去の少なくとも一方における蓄電池パックの異常の有無である。
【０１３９】
また、劣化度を示す情報は、蓄電池パックの製造日からの経過期間、内部抵抗、学習容量、満充電回数、および、異常の有無等の情報であってもよいし、この情報によって規定される劣化度を示す文字、記号、数字、インジケータ値であってもよい。
【０１４０】
例えば、蓄電池パックが劣化度５の条件を満たす場合、蓄電池パックは劣化度５に分類される。そして、蓄電池パックが劣化度４の条件を満たす場合、蓄電池パックは劣化度４に分類される。そして、蓄電池パックが劣化度３の条件を満たす場合、蓄電池パックは劣化度３に分類される。そして、蓄電池パックが劣化度２の条件を満たす場合、蓄電池パックは劣化度２に分類される。そして、蓄電池パックが劣化度１の条件を満たす場合、蓄電池パックは劣化度１に分類される。
【０１４１】
なお、劣化度を示す情報は、内部抵抗、学習容量、満充電回数、および、異常の有無のいずれかによって規定されてもよい。
【０１４２】
次に、図７〜図１１のフローチャートを用いて、図２等に示された貸与システムの処理フローを説明する。
【０１４３】
図７は、図２等に示された貸与システムに関連する会員登録処理を示すフローチャートである。まず、借用者が登録用紙に借用者情報（会員情報）を記入する（Ｓ１０１）。例えば、借用者は、住所、氏名、電子メールアドレス、および、電話番号などを登録用紙に記入する。次に、借用者は、身分証明書を事業者に提示し、事業者は身分証明書を確認する（Ｓ１０２）。そして、事業者は、会員ＩＤが記憶された会員カード２１０を発行する（Ｓ１０３）。
【０１４４】
これにより、借用者が会員として登録される。具体的には、処理装置２５０によって、会員情報および会員ＩＤが対応付けられ、サーバ装置２７０に登録される。なお、発行された会員カード２１０は、借用者に与えられる。
【０１４５】
図８は、図２等に示された貸与システムに関連する貸出処理を示すフローチャートである。借用者は貸与サービスを利用する際、会員カード２１０を事業者に提示する。そして、貸与システムにおいて、会員ＩＤと、借用者に貸与される蓄電池パック２３０の蓄電池パックＩＤとが対応付けられる。
【０１４６】
具体的には、カードリーダ２２０が会員カード２１０から会員ＩＤを読み出す（Ｓ２０１）。次に、検査装置２４０は借用者に貸与される蓄電池パック２３０から蓄電池パックＩＤを読み出す（Ｓ２０２）。なお、本例では、ステップＳ２０１、ステップＳ２０２の順に実行されているが、これに限定されるものではない。ステップＳ２０２、Ｓ２０１の順に実行しても構わない。
【０１４７】
この時、処理装置２５０は、検査装置２４０を介して、蓄電池パック２３０の充電および放電の検査を行ってもよい。また、処理装置２５０は、検査装置２４０を介して、蓄電池パック２３０の異常および品質の検査を行ってもよい。また、処理装置２５０は、借用者に検査の結果を通知するため、検査の結果を表示画面に出力してもよい。
【０１４８】
その後、処理装置２５０は、会員ＩＤと蓄電池パックＩＤとを対応付ける。そして、処理装置２５０は、会員ＩＤと蓄電池パックＩＤとが対応付けられたデータをサーバ装置２７０に登録する（Ｓ２０３）。これにより、借用者と、借用者に貸与される蓄電池パック２３０とが適切に対応付けられて管理される。処理装置２５０は、貸与時の蓄電池パック２３０の検査結果をサーバ装置２７０に登録してもよい。
【０１４９】
なお、蓄電池パック２３０は、満充電状態で借用者に貸与される。蓄電池パック２３０は、満充電状態に近い状態で借用者に貸与されてもよい。例えば、蓄電池パック２３０は、所定の充電状態よりも高い状態で借用者に貸与されてもよい。
【０１５０】
図９は、図２等に示された貸与システムに関連する返却処理を示すフローチャートである。借用者は、貸与された蓄電池パック２３０を返却する際、会員カード２１０を事業者に提示する。そして、貸与システムにおいて、会員ＩＤ、および、人から返却された蓄電池パック２３０の蓄電池パックＩＤが、サーバ装置２７０に登録されている会員ＩＤおよび蓄電池パックＩＤに対して照合される。
【０１５１】
具体的には、カードリーダ２２０が会員カード２１０から会員ＩＤを読み出す（Ｓ３０１）。次に、検査装置２４０は借用者から返却された蓄電池パック２３０から蓄電池パックＩＤを読み出す（Ｓ３０２）。なお、本例では、ステップＳ３０１、ステップＳ３０２の順に実行されているが、これに限定されるものではない。ステップＳ３０２、Ｓ３０１の順に実行しても構わない。
【０１５２】
次に、処理装置２５０は、カードリーダ２２０によって得られた会員ＩＤ、および、検査装置２４０によって得られた蓄電池パックＩＤを、サーバ装置２７０に登録されている会員ＩＤおよび蓄電池パックＩＤに対して照合する（Ｓ３０３）。
【０１５３】
これらが一致する場合、事業者は借用者から返却された蓄電池パック２３０を受け入れる。これにより、蓄電池パック２３０の返却時に、借用者から返却された蓄電池パック２３０が、借用者に貸与された蓄電池パック２３０と同じであることが、適切に確認される。
【０１５４】
なお、返却時に、処理装置２５０は、検査装置２４０を介して、蓄電池パック２３０の充電および放電の検査を行ってもよい。また、処理装置２５０は、検査装置２４０を介して、蓄電池パック２３０の異常および品質の検査を行ってもよい。また、処理装置２５０は、借用者に検査の結果を通知するため、検査の結果を表示画面に出力してもよい。
【０１５５】
また、返却期限を超過している場合、品質が過度に劣化している場合、及び、返却された蓄電池パック２３０に異常がある場合の少なくとも一つの場合において、借用者にペナルティが科されてもよい。
【０１５６】
図１０は、図２等に示された貸与システムに関連する交換処理を示すフローチャートである。事業者は、借用者から蓄電池パック２３０が返却されたとき、借用者に新たに別の蓄電池パック２９０を貸与してもよい。図１０は、この場合の動作を示す。
【０１５７】
まず、借用者から蓄電池パック２３０が返却されたとき、貸与システムにおいて、会員ＩＤ、および、人から返却された蓄電池パック２３０の蓄電池パックＩＤが、サーバ装置２７０に登録されている会員ＩＤおよび蓄電池パックＩＤに対して照合される。
【０１５８】
具体的には、カードリーダ２２０が会員カード２１０から会員ＩＤを読み出す（Ｓ４０１）。検査装置２４０は借用者から返却された蓄電池パック２３０から蓄電池パックＩＤを読み出す（Ｓ４０２）。処理装置２５０は、カードリーダ２２０によって得られた会員ＩＤ、および、検査装置２４０によって得られた蓄電池パックＩＤを、サーバ装置２７０に登録されている会員ＩＤおよび蓄電池パックＩＤに対して照合する（Ｓ４０３）。そして、これらが一致する場合（Ｓ４０４でＹｅｓ）、返却を受け入れる。なお、本例では、ステップＳ４０１、ステップＳ４０２の順に実行されているが、これに限定されるものではない。ステップＳ４０２、Ｓ４０１の順に実行しても構わない。
【０１５９】
上記の動作は、図９に示された返却処理の動作と同様である。交換処理では、次に、返却された蓄電池パック２３０と同等以上の蓄電池パック２９０が新たに貸与される蓄電池パックとして準備される（Ｓ４０５）。
【０１６０】
すなわち、新たに貸与される蓄電池パック２９０は、蓄電池パック２３０よりも劣化が進行していない蓄電池パックである。また、新たに貸与される蓄電池パック２９０は、貸与可能な蓄電量の蓄電池パックである。貸与可能な蓄電量は、例えば、満充電であってもよいし、満充電状態に近い蓄電量であってもよい。満充電量に近い蓄電量は、例えば、満充電量の９０％以上の蓄電量であってもよい。
【０１６１】
次に、検査装置２４０は新たに貸与される蓄電池パック２９０から蓄電池パックＩＤを読み出す（Ｓ４０６）。この時、処理装置２５０は、検査装置２４０を介して、蓄電池パック２９０の充電および放電の検査を行ってもよい。また、処理装置２５０は、検査装置２４０を介して、蓄電池パック２９０の異常および品質の検査を行ってもよい。また、処理装置２５０は、借用者に検査の結果を通知するため、検査の結果を表示画面に出力してもよい。
【０１６２】
その後、処理装置２５０は、会員ＩＤと蓄電池パックＩＤとを対応付ける。そして、処理装置２５０は、会員ＩＤと蓄電池パックＩＤとが対応付けられたデータをサーバ装置２７０に登録する（Ｓ４０７）。これにより、借用者と、借用者に新たに貸与される蓄電池パック２９０とが適切に対応付けられて管理される。処理装置２５０は、貸与時の蓄電池パック２９０の検査結果をサーバ装置２７０に登録してもよい。
【０１６３】
図１１は、図１０に示された交換処理の変形例を示すフローチャートである。図１１に示された交換処理は、図１０に示された交換処理と同様であるが、図１１では、一部の動作が詳細に示されている。
【０１６４】
まず、事業者は、借用者から蓄電池パック２３０および会員カード２１０を受け取る（Ｓ５０１）。次に、貸与システムにおいて、会員ＩＤおよび蓄電池パックＩＤが確認される（Ｓ５０２）。事業者は、会員カード２１０から得られる会員ＩＤ、および、蓄電池パック２３０から得られる蓄電池パックＩＤが、サーバ装置２７０に登録された会員ＩＤおよび蓄電池パックＩＤと一致しない場合（Ｓ５０２でＮｏ）、交換を拒否する（Ｓ５０３）。
【０１６５】
一方、これらが一致する場合（Ｓ５０２でＹｅｓ）、返却期限内に蓄電池パック２３０が返却されたか否かが確認される（Ｓ５０４）。蓄電池パック２３０が返却期限を超えて返却された場合（Ｓ５０４でＮｏ）、処理装置２５０は、借用者にペナルティを科すための罰則処理を実行する（Ｓ５０５）。例えば、処理装置２５０は、罰則処理として、通常よりも高い請求金額を算出する。
【０１６６】
次に、処理装置２５０は、検査装置２４０を介して、蓄電池パック２３０が正常であるか否かを確認する（Ｓ５０６）。すなわち、蓄電池パック２３０に異常があるか否かを確認する。そして、蓄電池パック２３０が正常でない場合、すなわち、蓄電池パック２３０に異常がある場合（Ｓ５０６でＮｏ）、処理装置２５０は、例えば、通常よりも高い請求金額を算出する等、借用者にペナルティを科すための罰則処理を実行する（Ｓ５０７）。蓄電池パック２３０に重度の異常があった場合、蓄電池パック２３０は廃棄される。
【０１６７】
次に、処理装置２５０は、検査装置２４０を介して、蓄電池パック２３０に関して同様の品質が維持されているか否かを確認する（Ｓ５０８）。同様の品質が維持されていない場合、すなわち、蓄電池パック２３０の品質が過度に劣化している場合（Ｓ５０８でＮｏ）、処理装置２５０は、例えば、通常よりも高い請求金額を算出する等、借用者にペナルティを科すための罰則処理を実行する（Ｓ５０９）。
【０１６８】
例えば、処理装置２５０は、貸与時に登録された劣化度よりも劣化度が２つ以上高くなっている場合、同様の品質が維持されていないと判定する。また、蓄電池パック２３０の品質が過度に劣化し、蓄電池パック２３０の継続使用が不能と判定される場合、蓄電池パック２３０は廃棄される。
【０１６９】
その後、処理装置２５０は、品質の情報（劣化度を示す情報）等を充電ロッカー２８０に通知する（Ｓ５１０）。充電ロッカー２８０は、通知された品質の情報（劣化度を示す情報）に基づいて、複数の蓄電池パックから借用者に新たに貸与される蓄電池パック２９０を選択する（Ｓ５１１）。
【０１７０】
具体的には、充電ロッカー２８０によって選択される蓄電池パック２９０は、返却された蓄電池パック２３０と同じ劣化度の蓄電池パックであって、満充電状態の蓄電池パックである。蓄電池パック２３０と同じ劣化度の蓄電池パックがない等の事情に応じて、蓄電池パック２３０よりも劣化度の低い（劣化が進行していない）満充電状態の蓄電池パックが蓄電池パック２９０として選択されてもよい。
【０１７１】
充電ロッカー２８０は、選択された蓄電池パック２９０をインジケータなどによって示す。そして、蓄電池パック２９０は、事業者によって取り出され、検査装置２４０に接続される。検査装置２４０は、新たに貸与される蓄電池パック２９０の蓄電池パックＩＤを取得する。検査装置２４０は、蓄電池パック２９０に対して、品質の検査等を行ってもよい。
【０１７２】
処理装置２５０は、カードリーダ２２０で得られる会員ＩＤと、検査装置２４０で得られる蓄電池パックＩＤとを対応付けてサーバ装置２７０に登録する（Ｓ５１２）。例えば、処理装置２５０は、図５に示された貸与情報にデータを登録する。
【０１７３】
そして、事業者は、蓄電池パック２９０および会員カード２１０を借用者に引き渡す（Ｓ５１３）。返却された蓄電池パック２３０は、継続使用可能であれば、充電ロッカー２８０に収納される。充電ロッカー２８０は、外部電源を用いて、収納された蓄電池パック２３０を充電させる。
【０１７４】
上記の処理によって、借用者と、借用者に新たに貸与された蓄電池パック２９０とが適切に対応付けられる。
【０１７５】
また、借用者から返却された蓄電池パック２３０と同等以上の品質を備える蓄電池パック２９０が新たに貸与される。これにより、借用者は、蓄電池パック２３０と同じような蓄電池パック２９０を使用することができる。すなわち、借用者は、蓄電池パック２３０の使用を継続するように、新たに貸与された蓄電池パック２９０を使用することができる。
【０１７６】
また、借用者は、放電された蓄電池パック２３０に代えて、充電された蓄電池パック２９０を利用することができる。よって、蓄電池パック２３０の充電期間中に電気機器が使用不能になる等の弊害が抑制される。
【０１７７】
また、劣化した蓄電池パック２９０が品質条件を満たせば、借用者に不快感を与えることなく、劣化した蓄電池パック２９０を借用者に貸与することが可能である。したがって、貸与システムは、劣化した蓄電池パック２９０を有効活用することができる。
【０１７８】
なお、借用者が所有する蓄電池パックと引き換えに、借用者が所有する蓄電池パックの品質と同等以上の蓄電池パックが貸与されてもよい。例えば、借用者が所有する放電済みの蓄電池パックと、充電済みの蓄電池パックとが交換される。この場合、処理装置２５０は、借用者の会員ＩＤと、借用者が所有する蓄電池パックの蓄電池パックＩＤとをサーバ装置２７０に登録する。
【０１７９】
そして、この場合、借用者が所有する蓄電池パックは充電ロッカー２８０に収納され、充電ロッカー２８０は、借用者が所有する蓄電池パックを充電させる。その後、充電が完了した場合、処理装置２５０または充電ロッカー２８０は、通信によって充電の完了を借用者に通知する。そして、借用者は、借用者に貸与された蓄電池パックを返却し、借用者が所有する蓄電池パックを引き取る。
【０１８０】
これにより、借用者は、借用者が所有する蓄電池パックの充電期間中において、貸与された蓄電池パックを用いて電気機器を動作させることができる。したがって、電気機器が有効に活用される。
【０１８１】
また、本実施の形態における貸与システムおよび貸与管理方法は、貸与サービスを提供する事業者において利用されるだけでなく、学校または事務所などにおいて利用されてもよい。例えば、学校または事務所において、借用者が、貸与システムを利用して、放電された蓄電池パックと、充電された蓄電池パックとを交換してもよい。
【０１８２】
以上のように、本実施の形態における貸与システムおよび貸与管理方法は、借用者と、蓄電池パックとを適切に対応付けて管理することができる。
【０１８３】
なお、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記実施の形態の貸与システムなどを実現するソフトウェアは、次のようなプログラムである。
【０１８４】
すなわち、このプログラムは、コンピュータに、蓄電池パックの貸与システムが行う貸与管理方法であって、借用者の識別情報である第１識別情報が記憶された記憶装置から前記第１識別情報を取得するステップと、貸与用の蓄電池パックである第１蓄電池パックに設けられた記憶部から前記第１蓄電池パックの識別情報である第２識別情報を取得するステップと、前記借用者に前記第１蓄電池パックが貸与されるとき、取得された前記第１識別情報と取得された前記第２識別情報とを対応付けて前記貸与システムが備える記憶部に記憶するステップとを含む貸与管理方法を実行させる。
【０１８５】
また、貸与システムの各構成要素は、回路でもよい。これらの回路は、全体として１つの回路を構成してもよいし、それぞれ別々の回路でもよい。また、これらの回路は、それぞれ、汎用的な回路でもよいし、専用の回路でもよい。
【０１８６】
以上、一つまたは複数の態様に係る貸与システムについて、実施の形態に基づいて説明したが、本開示は、この実施の形態に限定されるものではない。本開示の趣旨を逸脱しない限り、当業者が思いつく各種変形を本実施の形態に施したもの、及び異なる実施の形態における構成要素を組み合わせて構築される形態も、一つまたは複数の態様の範囲内に含まれてもよい。
【０１８７】
例えば、上記実施の形態において、特定の構成要素が実行する処理を特定の構成要素の代わりに別の構成要素が実行してもよい。また、複数の処理の順序が変更されてもよいし、複数の処理が並行して実行されてもよい。
【産業上の利用可能性】
【０１８８】
本開示は、蓄電池パックの貸与システムに利用可能であり、充電スタンド、工場、店舗または学校の設備等に適用可能である。
【符号の説明】
【０１８９】
１１１  記憶装置
１２１、１５１  取得部
１３１  筐体
１４１、２３０、２９０  蓄電池パック
１４２、１７１  記憶部
１５２  接続部
１５３  放電部
１５４、１５６  検査部
１５５  充電部
１６１  制御部
１８１  出力部
１８２  報知部
２１０  会員カード
２２０  カードリーダ
２３１、２４１  無線通信部
２３２  蓄電池
２３４  充放電制御回路
２３５  スイッチ
２３６  ＬＥＤ
２３７  タグ
２３８、２４６  接続部
２４０  検査装置
２４２  充放電回路
２４３  診断部
２４４  読み出し部
２４５  通信部
２５０  処理装置
２６０  ルータ
２７０  サーバ装置
２８０  充電ロッカー
【図１】
2020074247.tif 000003
【図２】
2020074247.tif 000004
【図３】
2020074247.tif 000005
【図４】
2020074247.tif 000006
【図５】
2020074247.tif 000007
【図６】
2020074247.tif 000008
【図７】
2020074247.tif 000009
【図８】
2020074247.tif 000010
【図９】
2020074247.tif 000011
【図１０】
2020074247.tif 000012
【図１１】
2020074247.tif 000013